(57)【要約】      （修正有）【課題】一般スポーツの場合、愛好家はもとより、初心者や、握力がそれほど強くない、子供、女性、高齢者、及び、少しハンデのある方々の場合も、手軽に楽しむ事が出来る用具のグリップ補助具操作方法を提供する。【解決手段】グリップに取り付けるバンドの一方の先頭部分と、バンドの他方部分をグリップに周回させて、バンドの一方の先頭部分に見合う位置から、バンドの他方部分とを接合し、接合を維持しながら、バンドの他方部分の内、１以上の部分を、山形に成型し、合目的なクッションも入れ、マウンドと接触する手指で、マウンド（山形部分）を押すと、その可動範囲内で、押された方向に、グリップが動く。【選択図】図１
2018187334.tif 000002
【特許請求の範囲】
【請求項１】
グリップを用いる用具について、前記グリップに取り付けるバンドの一方の先頭部分と、前記バンドの他方部分を前記グリップに周回させ、前記バンドの一方の先頭部分に見合う位置から、前記バンドの他方部分とを接合して、グリップに固着するバンド部、及び、
前記バンドの一方の先頭部分から接合の、前記バンドの他方部分の内に、１以上の部分を山形に成型のマウンド部を備え、
前記マウント部に接触の手指部分で、前記マウンド部を押すと、押された方向にグリップが動く事を特徴とするグリップ補助具操作方法。
【請求項２】
前記バンド部及びマウンド部は、繊維、樹脂、ゴム、皮革、金属、竹、木、接着材、スポンジ、面ファスナー、その他弾性体の中の、１以上の素材からなる事を特徴とする前記請求項１のグリップ補助具操作方法。
【請求項３】
前記山形に成型のマウンド部は、繊維、樹脂、ゴム、皮革、金属、竹、木、接着材、スポンジ、面ファスナー、その他弾性体の中の、１以上の素材からなるクッションを含む事を特徴とする前記請求項１のグリップ補助具操作方法。
【発明の詳細な説明】
【技術分野】
【０００１】
本発明は、グリップを用いるスポーツや、その他で、グリップを把持して行う用具、器具、等の操作を、楽に、確実に、行うためのグリップ補助具操作方法に関する。
【背景技術】
【０００２】
グリップを利用する用具の場合、例えば、ラケットスポーツ用のグリップは、プレーヤーにとって、操作が楽で、滑り止めにもなる、等も期待され、用具の性能向上によって、送球・返球等の動作も、速く、強くなり、素早い対応力が問われるので、基本的に、前腕（手首から肘部分）、肩、等の負荷を、軽減出来るようにする事が望ましい。
例えば、健康スポーツとしての、バドミントン、卓球、その他では、重心の移動を旨として、肩、前腕、手指、等によって、ラケットグリップを振って、相手側からの飛球に対処（返球）するが、一般プレーヤーの場合、特に、逆手となるバックハンド操作で、ラケットグリップを、左側から、左上乃至右上方向等に振って、打球するには、相当の負荷がある。
また、フォアハンドの場合でも、例えば、バドミントンでは、グリップを握っているラケットを、上方に振り上げて、前方向に振る操作が、主たる関心事となるが、上方から、左右方向に、打ち分ける事も多く、また、横方向からの打撃、即ち、サイドストロークでは、グリップを握っているラケットを、右下から、前・右上、左上方向に振りあげる、等にも、かなりの負荷があり、その他、例えば、野球のバットや、ゴルフクラブを振る場合にも、（この場合はバックハンドは無いが）、前記フォアハンドの場合に類する負荷要素がある。
【特許文献１】日本特許第5874095号
【特許文献２】日本実用新案登録第3204886号
【特許文献３】米国特許出願 Patent Application No. 12/798,366
【特許文献４】米国特許出願 Patent Application No. 12/660,456
【特許文献５】米国特許出願 Patent Application No. 15/731.202
【発明の開示】
【発明が解決しようとする課題】
【０００３】
本発明は、上記課題への対応として、それに限定されるものではないが、一般スポーツの場合、愛好家はもとより、初心者や、握力がそれほど強くない、子供、女性、高齢者、及び、少しハンデのある方々の場合も、手軽に楽しむ事が出来る用具のグリップ補助具操作方法を提供し、手首、肘、肩、等の負荷を軽減し、うっかりミスや握力低下によるラケット脱落等の防止にも役立つ事を目的とする。
【課題を解決するための手段】
【０００４】
請求項１によれば、グリップを用いる用具において、グリップに取り付けるバンドの一方の先頭部分と、バンドの他方部分をグリップに周回させて、バンドの一方の先頭部分に見合う位置から、バンドの他方部分とを接合し、接合を維持しながら、バンドの他方部分の内、１以上の部分を、山形に成型し、合目的なクッションも入れ、マウンドと接触する手指で、マウンド（山形部分）を押すと、その可動範囲内で、押された方向に、グリップが動く。グリップが動く方向は、マウンド部の形状、材質、弾力性、等の設計・調整による。
一例として、例えば、ラケットグリップ上の中指の場合は、グリップを把持する役割から、左右方向の動きに関わり、その他、例えば、親指・母指球の場合は、グリップ上の主たる役割を果たすので、左右や、上下方向の動きに関わる。
請求項２によれば、請求項１の、バンド部及びマウンド部は、繊維、樹脂、ゴム、皮革、金属、竹、木、接着材、スポンジ、面ファスナー、その他弾性体の中の、１以上の素材からなる。
請求項３によれば、請求項１の、山形に成型のマウンド部は、繊維、樹脂、ゴム、皮革、金属、竹、木、接着材、スポンジ、面ファスナー、その他弾性体の中の、１以上の素材からなるクッションを含む。
【発明の効果】
【０００５】
請求項１によれば、グリップを用いる用具について、グリップに取り付けるバンドの一方の先頭部分と、バンドの他方部分をグリップに周回させ、バンドの一方の先頭部分に見合う位置から、バンドの他方部分とを接合して、グリップに固着するバンド部、及び、
バンドの一方の先頭部分に見合う位置から接合の、バンドの他方部分の内に、１以上の部分を山形に成型のマウンド部を備え、
マウンド部に接触の手指部分で、マウンドを押すと、マウンド部の可動範囲内で、押された方向に、グリップが動く、ゆえに、左利き・右利きを問わず、又、必要に応じて、同じ補助具上に、１以上の山形部分を設定、或いは、複数の補助具を用いる事も可能で、且つ、クッションを取り替え、グリップを動かす感触、強度、等、設計・調整して、望ましい感触の補助具として、効果をアップ出来る。
繊維、樹脂、ゴム、皮革、金属、竹、木、接着材、スポンジ、面ファスナー、その他弾性体の中の、１以上の素材からなるマウンド部の可動域を利用し、マウンドに接触の、手指の部分で、マウンド部を押すと、他の手指の状態にかかわらず、グリップは、押された方向に動き、すでにグリップが動いていれば、それを加速出来るし、スポーツ用具のラケットによる打撃の場合、最も重要視される重心の移動によるラケットグリップの動きがすでに先行していれば、加速される。
請求項２によれば、請求項１の、バンド部及びマウンド部は、繊維、樹脂、ゴム、皮革、金属、竹、木、接着材、スポンジ、面ファスナー、その他弾性体の中の、１以上の素材からなり、要求に見合う素材を選択・組み合わせて、合目的に構成出来る。
請求項３によれば、請求項１の、山形に成型のマウンド部は、繊維、樹脂、ゴム、皮革、金属、竹、木、接着材、スポンジ、面ファスナー、その他弾性体の中の、１以上の素材からなるクッションを含めて、合目的に構成出来る。

【図面の簡単な説明】
【０００６】
【図１】バンドの一方の先頭部分と、バンドの他方部分をグリップに周回させて、バンドの一方の先頭部分に見合う位置から、バンドの他方部分とを接合して、接合状態を維持しながら、バンドの他方部分内の、１以上の部分を、クッション等の内包物も、必要に応じて、組み入れ、山形（マウンド）に成型し、その部分と接触する手指の部分で、マウンドを押すと、その方向にグリップが動くグリップ補助具操作方法の、一実施例である。
【図２】本発明の一実施例として、卓球ラケットグリップに、グリップ補助具を装着の例である。卓球やバドミントンの場合、通常、２つのマウンドを設けて、中指、親指等部分が、接触して、グリップを動かす。 なお、上記は、本発明の一実施例で、本発明の目的、技術手段と構造を説明するための一例にすぎず、本発明の保護範囲を限定するものではない。
【図１】
2018187334.tif 000003
【図２】
2018187334.tif 000004
【手続補正書】
【提出日】平成29年7月1日(2017.7.1)
【手続補正１】
【補正対象書類名】特許請求の範囲
【補正対象項目名】全文
【補正方法】変更
【補正の内容】
【特許請求の範囲】
【請求項１】
グリップを用いる用具の、前記グリップに取り付けるバンドの一方の先頭部分と、前記バンドの他方部分を前記グリップに周回させ、前記バンドの一方の先頭部分に見合う位置から、前記バンドの他方部分とを接合して、グリップに固着するバンド部、及び、
前記バンドの一方の先頭部分から接合の、前記バンドの他方部分の内に、１以上の部分を山形に成型のマウンド部を備え、
前記マウント部に接触の手指部分で、横や上下、その他の方向に、前記マウンド部を押すと、押された方向にグリップが動く事を特徴とするグリップ補助具操作方法。
【請求項２】
前記バンド部及びマウンド部は、繊維、樹脂、ゴム、皮革、金属、竹、木、接着材、スポンジ、面ファスナー、その他弾性体の中の、１以上の素材からなる事を特徴とする前記請求項１のグリップ補助具操作方法。
【請求項３】
前記山形に成型のマウンド部は、繊維、樹脂、ゴム、皮革、金属、竹、木、接着材、スポンジ、面ファスナー、その他弾性体の中の、１以上の素材からなるクッションを含む事を特徴とする前記請求項１のグリップ補助具操作方法。
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
グリップを用いる用具の、前記グリップに取り付けるバンドの一方の先頭部分と、前記バ
ンドの他方部分を前記グリップに周回させ、前記バンドの一方の先頭部分に見合う位置か
ら、前記バンドの他方部分とを接合して、前記グリップに固着するバンド部、及び、
前記バンドの一方の先頭部分から接合の、前記バンドの他方部分の内に、１以上の部分
を山形に成型のマウンド部を備え、
前記マウンド部に接触の手指部分で、打球時に、前記グリップ手前下方向、若しくは、横方向に、前記マウンド部を押すと、押された方向に前記グリップが動き、打球動作を加速する事を特徴とするグリップ補助具操作方法。
【請求項２】
前記バンド部及びマウンド部は、繊維、樹脂、ゴム、皮革、金属、竹、木、接着材、スポ
ンジ、面ファスナー、その他弾性体の中の、１以上の素材からなる事を特徴とする前記請
求項１のグリップ補助具操作方法。
【請求項３】
前記山形に成型のマウンド部は、繊維、樹脂、ゴム、皮革、金属、竹、木、接着材、スポ
ンジ、面ファスナー、その他弾性体の中の、１以上の素材からなるクッションを含む事を
特徴とする前記請求項１のグリップ補助具操作方法。